【手続補正書】
【提出日】平成16年7月14日(2004.7.14)
【手続補正１】
【補正対象書類名】明細書
【補正対象項目名】特許請求の範囲
【補正方法】変更
【補正の内容】
【特許請求の範囲】
【請求項１】
サイズの異なる複数種類の用紙を載置可能であり、上記載置された用紙を１枚ずつ送り出す給紙部（２０）と、該給紙部（２０）から送り出された用紙に印刷する印刷機本体（４０）と、該印刷機本体（４０）から印刷済み用紙を受け取る紙受部（６０）とを備えた輪転孔版印刷機（１０）であって、該紙受部（６０）は、印刷済み用紙が排出される印刷機本体（４０）の排紙部（４９）に隣接しかつ該排紙部（４９）より下方において大略排紙方向（９２）に沿って延在する紙受台（６２）と、該紙受台（６２）の上方において上記排紙部（４９）に対面し排紙方向（９２）に大略直交する方向に延在する止めガイド板（６４）と、上記紙受台（６２）の上方かつ上記排紙部（４９）と上記止めガイド板（６４）との間において上記排紙部（４９）から排出される印刷済み用紙の幅と大略等しい間隔で排紙方向（９２）に大略平行に延在する一対の幅ガイド板（６６）とを有する、輪転孔版印刷機（１０）において、
上記紙受部（２０）の上記止めガイド板（６４）および／または上記幅ガイド板（６６）を所定位置に移動させるガイド板駆動手段（７０ａ，７０ｂ，７０ｃ）と、
印刷に用いる用紙のサイズを選択する用紙サイズ選択手段（２）と、
用紙サイズ選択手段（２）により選択された印刷機本体（４０）に送られる印刷に用いる上記用紙のサイズを検出する用紙サイズ検出手段（２９）と、
上記用紙サイズ検出手段（２９）が検出した用紙のサイズに応じて、上記ガイド板駆動手段（７０ａ，７０ｂ，７０ｃ）を動作させ、上記止めガイド板（６４）および／または上記幅ガイド板（６６）の位置を、上記印刷機本体（４０）に送られる用紙に対応する位置に設定させる制御手段（２）と、を備えたことを特徴とする、輪転孔版印刷機。
【請求項２】
サイズの異なる複数種類の用紙を載置可能であり、上記載置された用紙を１枚ずつ送り出す給紙部（２０）と、該給紙部（２０）送り出された用紙に印刷する印刷機本体（４０）と、該印刷機本体（４０）から印刷済み用紙を受け取る紙受部（６０）とを備えた輪転孔版印刷機（１０）であって、該紙受部（６０）は、印刷済み用紙が排出される印刷機本体（４０）の排紙部（４９）に隣接しかつ該排紙部（４９）より下方において大略排紙方向（９２）に沿って延在する紙受台（６２）と、該紙受台（６２）の上方において上記排紙部（４９）に対面し排紙方向（９２）に大略直交する方向に延在する止めガイド板（６４）と、上記紙受台（６２）の上方かつ上記排紙部（４９）と上記止めガイド板（６４）との間において上記排紙部（４９）から排出される印刷済み用紙の幅と大略等しい間隔で排紙方向（９２）に大略平行に延在する一対の幅ガイド板（６６）とを有する、輪転孔版印刷機（１０）において、
上記給紙部（２０）に載置された上記複数種類の用紙のサイズを検出する用紙サイズ検出手段（２９）と、
上記紙受部（２０）の上記止めガイド板（６４）および／または上記幅ガイド板（６６）を所定位置に移動させるガイド板駆動手段（７０ａ，７０ｂ，７０ｃ）と、
印刷される原稿のサイズを検出する原稿センサ（８）と、
印刷の拡大・縮小率の情報と上記用紙サイズ検出手段（２９）により検出された用紙のサイズの情報に基づいて印刷に用いる用紙のサイズを選択する用紙サイズ選択手段（２）と、
上記用紙サイズ選択手段（２）が選択した用紙サイズに応じて、上記ガイド板駆動手段（７０ａ，７０ｂ，７０ｃ）を動作させ、上記止めガイド板（６４）および／または上記幅ガイド板（６６）の位置を、上記印刷機本体（４０）に送られる用紙に対応する位置に設定させる制御手段（２）と、を備えたことを特徴とする、輪転孔版印刷機。
【請求項３】
さらに、幅ガイドを有し、上記幅ガイドの位置に関する情報を出力することができるように構成された手差し給紙手段を有し、
上記用紙サイズ検出手段（２９）は、上記手差し給紙手段から出力された幅ガイドの位置に関する情報に基づいて、上記手差し給紙手段に載置されている用紙サイズを検出することを特徴とする、請求項１に記載の輪転孔版印刷機。
【手続補正２】
【補正対象書類名】明細書
【補正対象項目名】０００６
【補正方法】変更
【補正の内容】
【０００６】
輪転孔版印刷機は、サイズの異なる複数種類の用紙を載置可能であり、上記載置された用紙を１枚ずつ送り出す給紙部と、この給紙部から送り出された用紙に印刷する印刷機本体と、この印刷機本体から印刷済み用紙を受け取る紙受部とを備え、この紙受部は、印刷済み用紙が排出される印刷機本体の排紙部に隣接しかつこの排紙部より下方において大略排紙方向に沿って延在する紙受台と、この紙受台の上方において上記排紙部に対面し排紙方向に大略直交する方向に延在する止めガイド板と、上記紙受台の上方かつ上記排紙部と上記止めガイド板との間において上記排紙部から排出される印刷済み用紙の幅と大略等しい間隔で排紙方向に大略平行に延在する一対の幅ガイド板とを有するタイプのものである。輪転孔版印刷機は、上記紙受部の上記止めガイド板および／または上記幅ガイド板を所定位置に移動させるガイド板駆動手段と、印刷に用いる用紙のサイズを選択する用紙サイズ選択手段と、用紙サイズ選択手段により選択された印刷機本体に送られる印刷に用いる上記用紙のサイズを検出する用紙サイズ検出手段と、上記用紙サイズ検出手段が検出した用紙のサイズに応じて、上記ガイド板駆動手段を動作させ、上記止めガイド板および／または上記幅ガイド板の位置を、上記印刷機本体に送られる用紙に対応する位置に設定させる制御手段と、を備える。
【手続補正３】
【補正対象書類名】明細書
【補正対象項目名】０００７
【補正方法】変更
【補正の内容】
【０００７】
上記構成において、制御手段は、ガイド板駆動手段を動作させ、用紙サイズ選択手段により選択された印刷される用紙に対応して紙受部のガイド板の位置を所定位置に移動させる。たとえば、印刷用紙の長さ（搬送方向の寸法）が変われば、止めガイド板を移動させ、印刷用紙の幅（搬送方向に直角方向の寸法）が変われば、幅ガイド板を移動させ、印刷用紙の長さおよび幅が変われば、止めガイド板および幅ガイド板を移動させる。
【手続補正４】
【補正対象書類名】明細書
【補正対象項目名】００１０
【補正方法】変更
【補正の内容】
【００１０】
輪転孔版印刷機は、サイズの異なる複数種類の用紙を載置可能であり、上記載置された用紙を１枚ずつ送り出す給紙部と、この給紙部送り出された用紙に印刷する印刷機本体と、該印刷機本体から印刷済み用紙を受け取る紙受部とを備えるタイプのものである。この紙受部は、印刷済み用紙が排出される印刷機本体の排紙部に隣接しかつ該排紙部より下方において大略排紙方向に沿って延在する紙受台と、該紙受台の上方において上記排紙部に対面し排紙方向に大略直交する方向に延在する止めガイド板と、上記紙受台の上方かつ上記排紙部と上記止めガイド板との間において上記排紙部から排出される印刷済み用紙の幅と大略等しい間隔で排紙方向に大略平行に延在する一対の幅ガイド板とを有する。輪転孔版印刷機は、上記給紙部に載置された上記複数種類の用紙のサイズを検出する用紙サイズ検出手段と、上記紙受部の上記止めガイド板および／または上記幅ガイド板を所定位置に移動させるガイド板駆動手段と、印刷される原稿のサイズを検出する原稿センサと、印刷の拡大・縮小率の情報と上記用紙サイズ検出手段により検出された用紙のサイズの情報に基づいて印刷に用いる用紙のサイズを選択する用紙サイズ選択手段と、上記用紙サイズ選択手段が選択した用紙サイズに応じて、上記ガイド板駆動手段を動作させ、上記止めガイド板および／または上記幅ガイド板の位置を、上記印刷機本体に送られる用紙に対応する位置に設定させる制御手段と、を備える。
【手続補正５】
【補正対象書類名】明細書
【補正対象項目名】００１１
【補正方法】変更
【補正の内容】
【００１１】
上記構成において、制御手段は、用紙サイズ選択手段が選択した印刷に用いる用紙のサイズを検出する用紙サイズ検出手段の検出に基づき、ガイド板駆動手段を動作させ、印刷される用紙に対応して紙受部のガイド板の位置を所定位置に移動させる。ここで、用紙サイズ選択手段は、印刷される原稿のサイズを検出する原稿センサと、印刷の拡大・縮小率の情報と上記用紙サイズ検出手段により検出された用紙のサイズの情報に基づいて印刷に用いる用紙のサイズを選択する。つまり、印刷用紙の変更のときに、印刷用紙の選択によって、紙受部のガイド板の位置が自動的に設定される。よって、原稿のサイズと拡大・縮小率とから用紙サイズが自動的に決定されるような場合であっても、ガイド板を適切な位置に設定できる。
また、上記構成において、好ましくは、さらに、幅ガイドを有し、上記幅ガイドの位置に関する情報を出力することができるように構成された手差し給紙手段を有し、上記用紙サイズ検出手段は、上記手差し給紙手段から出力された幅ガイドの位置に関する情報に基づいて、上記手差し給紙手段に載置されている用紙サイズを検出する。